(57)【要約】【課題】片持ち梁形状のロックアームを採用することで小型化を図り、かつ、簡易な構造で高いロック力を実現したカードコネクタを提供する。【解決手段】カードコネクタ１０は、カードコネクタ本体２０とカードトレイ３０とからなる。カードコネクタ本体２０は、基体４０と金属シェル５０とを有する。基体４０は、ロックアーム４６を備えている。このロックアーム４６は、ハウジング４１に固定端が固定されて挿抜方向（矢印Ｘ−Ｙ方向）に片持ち梁形状に延びている。そして、ロックアーム４６には、自由端側に、カードトレイ３０の係止凹部３１に係合する係合部４６ａが設けられている。また、金属シェル５０には、ばね片５２が形成されている。このばね片５２は、カードトレイ３０の挿抜時にロックアーム４６に押されて弾性変形し、ロックアーム４６をカードトレイ３０側に押圧する。【選択図】図１
2019179615.tif 000002
【特許請求の範囲】
【請求項１】
カードあるいはカードを載せたトレイからなり挿抜方向に交わる幅方向端縁に凹部が形成された挿入体と接続するカードコネクタであって、
ハウジングと、
前記ハウジングの上に被せられて該ハウジングとの間に、前記挿入体を受容する受容空間を形成するシェルと、
前記ハウジングに固定端が固定されて前記挿抜方向に片持ち梁形状に延び、自由端側に、前記受容空間に受容された状態の前記挿入体の前記凹部に係合する係合部を有するロックアームとを備え、
前記シェルが、少なくとも前記挿入体の挿抜時に前記ロックアームを該挿入体側に押圧するばね片を有することを特徴とするカードコネクタ。
【請求項２】
前記ばね片は、前記シェルの基部から前記ハウジングに向かって垂下する形状のばね片であることを特徴とする請求項１に記載のカードコネクタ。
【請求項３】
前記ばね片は、前記シェルの基部から前記ハウジングに向かって垂下する垂下部に形成され前記挿抜方向に片持ち梁形状に延びるばね片であることを特徴とする請求項１に記載のカードコネクタ。
【発明の詳細な説明】
【技術分野】
【０００１】
本発明は、カードあるいはカードを載せたトレイが差し込まれてカードにアクセスするカードコネクタに関する。
【背景技術】
【０００２】
上記のカードコネクタが広く普及している。ここで、カードコネクタには、カードを単独で挿し込むタイプのカードコネクタと、カードをトレイに載せてカードを載せたトレイを挿し込むタイプのカードコネクタが存在する。後述する本発明のカードコネクタは、それら双方のタイプのカードコネクタに適用可能である。そこで、以下では、カードとカードを載置したトレイとの双方を含む概念として、「挿入体」と称することにする。
【０００３】
挿入体には、通常、挿抜方向に交わる幅方向の端縁に係止凹部が形成されている。そして、カードコネクタには、挿入体の係止凹部に入り込む係合凸部が設けられたロックアームが備えられている。そして、カードコネクタは、挿入体が挿し込まれると、係止凹部に係止凸部が入り込み、挿入体の不用意な抜けが防止される構造となっている。
【０００４】
ここで、この抜け防止を確実にする高いロック力を得るには、両持ち梁形状のロックアームを備えることが１つの有効な手段である。しかしながら、両持ち梁形状のロックアームを備えると、挿抜方向に長いロックアームとなり、カードコネクタの小型化の要請に反する。
【０００５】
ここで、特許文献１には、片持ち梁形状のロックアームを備えたカードコネクタが開示されている。この特許文献１のカードコネクタは、受容されている挿入体（特許文献１ではメモリーカード）にさらに奥に押し込む向きの力を加えることによりロックが外れてばね力により押し出される、いわゆるプッシュ・プッシュ式のカードコネクタである。この特許文献１のカードコネクタでは、ロックアームは、メモリーカードの挿抜とともにスライドするスライダに保持されている。そして、メモリカードが受容されている状態では係合凹部から係合凸部が抜け出ないようにロックアームの幅方向への変位が阻止される構造となっている。そして、スライダのスライドとともにメモリカードが途中まで抜け出た状態になった状態でロックアームを幅方向へ変位させて、係合凸部を係合凹部から外すことができる。
【先行技術文献】
【特許文献】
【０００６】
【特許文献１】特開２０１０−１６５１３９号公報
【発明の概要】
【発明が解決しようとする課題】
【０００７】
上掲の特許文献１のカードコネクタの場合、メモリカードが受容されている状態では係合凹部から係合凸部が抜け出ないようにロックアームの幅方向への変位が阻止される。このため、特許文献１のカードコネクタの場合、高いロック力を得ることができる。ただし、この特許文献１のカードコネクタは、プッシュ・プッシュ式のカードコネクタに特化した構造であり、部品点数が多く、かつ構造が複雑である。
【０００８】
本発明は、上記事情に鑑み、片持ち梁形状のロックアームを採用することで小型化を図り、かつ、簡易な構造で高いロック力を実現したカードコネクタを提供することを目的とする。
【課題を解決するための手段】
【０００９】
本発明に係るカードコネクタは、カードあるいはカードを載せたトレイからなり挿抜方向に交わる幅方向端縁に凹部が形成された挿入体と接続するカードコネクタであって、
ハウジングと、
ハウジングの上に被せられてそのハウジングとの間に挿入体を受容する受容空間を形成するシェルと、
ハウジングに固定端が固定されて挿抜方向に片持ち梁形状に延び、自由端側に、上記受容空間に受容された状態の挿入体の上記凹部に係合する係合部を有するロックアームとを備え、
上記シェルが、少なくとも挿入体の挿抜時にロックアームを挿入体側に押圧するばね片を有することを特徴とする。
【００１０】
ここで、上記ばね片は、シェルの基部からハウジングに向かって垂下する形状のばね片であってもよい。あるいは、上記ばね片は、シェルの基部からハウジングに向かって垂下する垂下部に形成され挿抜方向に片持ち梁形状に延びるばね片であってもよい。
【００１１】
本発明のカードコネクタは、ハウジングに固定された片持ち梁形状のロックアームを備えている。このため、両持ち梁形状のロックアームを備える場合と比べ、カードコネクタの小型化が図られる。また、本発明のカードコネクタは、シェルの一部からなるばね片を備えている。そして、片持ち梁形状のロックアームでは不足しがちなロック力をそのばね片で補っている。本発明のカードコネクタは、このように、ロックアームとばね片との組み合わせにより、十分なロック力を確保している。
【発明の効果】
【００１２】
このように、本発明によれば、片持ち梁形状のロックアームを採用して小型化を図りつつ、簡易な構造で高いロック力が確保されたカードコネクタが実現する。
【図面の簡単な説明】
【００１３】
【図１】本発明の第１実施形態のカードコネクタを示した斜視図である。
【図２】第１実施形態のカードコネクタを構成しているカードトレイの説明図である。
【図３】（Ａ）金属シェルの斜視図と（Ｂ）３面図である。
【図４】カードコネクタ本体にカードトレイが挿し込まれていく様子を示した図である。
【図５】図４に示した円ＲＬ，ＲＲの部分の拡大図である。
【図６】（Ａ）第２実施形態のカードコネクタを構成している金属シェルの斜視図と（Ｂ）３面図である。
【図７】第２実施形態における、カードコネクタ本体にカードトレイが挿し込まれていく様子を示した図である。
【図８】図７に示した円ＲＬ，ＲＲの部分の拡大図である。
【発明を実施するための形態】
【００１４】
以下、本発明の実施の形態について説明する。
【００１５】
図１は、本発明の第１実施形態のカードコネクタを示した斜視図である。ここで、図１（Ａ）はカードコネクタ本体の斜視図、図１（Ｂ）は、カードトレイの斜視図である。また、図１（Ｃ）は、図１（Ａ）に示したカードコネクタ本体から金属シェルを取り外して示した基体の斜視図である。
【００１６】
このカードコネクタ１０は、カードコネクタ本体２０とカードトレイ３０とで構成されている。カードコネクタ本体２０は、図１（Ｃ）に示す基体４０と、その基体４０の上に被せた金属シェル５０とで構成されている。そして、これら基体４０と金属シェル５０とにより、カードトレイ３０を受容する受容空間２１と、その受容空間２１へのカードトレイ３０の挿込み口２２が形成されている。
【００１７】
図１（Ｃ）に示す基体４０は、ハウジング４１と、そのハウジング４１に保持されたコンタクト４２を備えている。コンタクト４２は、後述するカード６１，６２（図２参照）の下面に形成されている導電パッド（不図示）に接してそのカード６１，６２をアクセスするためのものである。
【００１８】
また、この基体４０は、その右隅に、矢印Ｘ−Ｙで示す挿抜方向に延びるスライドアーム４３が、ハウジング４１に対しスライド自在に設けられている。また、この基体４０の挿込みの向き（矢印Ｘの向き）の奥には、イジェクトレバー４４が備えられている。受容空間２１にカードトレイ３０が受容された状態において、不図示のイジェクトピンでスライドアーム４３の頭部４３ａを押す。すると、そのスライドアーム４３が挿込みの向き（矢印Ｘの向き）にスライドしてイジェクトレバー４４を押す。すると、そのイジェクトレバー４４が反時計回りに回動して、カードトレイ３０を、挿込み口２２から少し突き出た状態にまで押し出す。その後は、カードトレイ３０に指の爪を引っ掛けるなどして、カードトレイ３０をカードコネクタ本体２０から抜き取ることができる。
【００１９】
また、基体４０は、挿込みの向き（矢印Ｘの向き）の奥の、イジェクトレバー４４の横に、スイッチ４５を備えている。このスイッチ４５は、カードトレイ３０が受容空間２１に受容されているか否かを検出するスイッチである。さらに、基体４０は、左右両側にロックアーム４６を備えている。これらのロックアーム４６は、片持ち梁形状の部材である。これらのロックアーム４６は、挿込みの向き（矢印Ｘの向き）の後端部がハウジング４１に固定された固定端となっている。そして、これらのロックアーム４６は、その固定端から挿込みの向き（矢印Ｘの向き）に延び、先端の自由端側に、内側に向かって膨らんだ係合部４６ａを備えている。カードトレイ３０には、矢印Ｘ−Ｙで示す挿抜方向に交わる幅方向両側の端縁、すなわち左右の端縁の、挿込みの向き（矢印Ｘの向き）の先端近傍に、係止凹部３１が形成されている。カードトレイ３０が受容空間２１内に受容されると、ロックアーム４６の自由端側の係合部４６ａがカードトレイ３０の係止凹部３１に入り込む。これにより、カードトレイ３０が受容空間２１から不用意に抜け出ないようにロックされる。このロックは、金属シェル５０の一部からなるばね片５２によりアシストされている。このばね片５２についての詳細は、後述する。
【００２０】
図２は、第１実施形態のカードコネクタを構成しているカードトレイの説明図である。
【００２１】
この図２には、ナノＳＩＭカード６１と、マイクロＳＤカード６２との２種類のカードが示されている。これらのカードの裏面には、導電パッド（不図示）が形成されている。これらのカードは、カードトレイ３０に載置され、カードトレイ３０とともにカードコネクタ本体２０に挿し込まれる。すると、導電パッドが図１（Ｃ）に示すコンタクト４２に接触して、それらが電気的に接続される。
【００２２】
このカードトレイ３０には、表裏両面に貫通した、２か所のカード載置部３２，３３が形成されている。それら２か所のカード載置部３２，３３のうちの挿込みの向き（矢印Ｘの向き）の奥側のカード載置部３２には、ナノＳＩＭカード６１のみが載置可能である。一方、手前側のカード載置部３３には、ナノＳＩＭカード６１とマイクロＳＤカード６２とのいずれのカードであっても載置可能である。すなわち、この実施形態のカードトレイ３０には、２枚のナノＳＩＭカード６１が載置され、あるいは、ナノＳＩＭカード６１とマイクロＳＤカード６２が１枚ずつ載置される。
【００２３】
図３は、（Ａ）金属シェルの斜視図と（Ｂ）３面図である。ここで、図３（Ｂ）の３面図のうちの（ｂ−１），（ｂ−２），（ｂ−３）は、それぞれ、左側面図、平面図、および右側面図である。
【００２４】
この金属シェル５０は、図１（Ｃ）に示した基体４０の上に被せられて、その上面、左右の両側面、および、挿込みの向き（矢印Ｘの向き）の奥側の側面を覆っている。
【００２５】
ここで、挿込みの向き（矢印Ｘの向き）の奥側であって、左右両側にばね片５２が形成されている。このばね片５２は、金属シェル５０の平板状の基部５１から垂下した形状に形成されている。このばね片５２は、金属シェル３０の一部が基体４０に向かって折り曲げられることにより形成されたものである。左右の側面５０ａ，５０ｂからの、左右のばね片５２までの距離は左右で異なっている。これは、図１（Ｃ）を参照して説明したように、基体４０の右側にはスライドアーム４３が設けられている。このため、左右のロックアーム４６Ａ，４６Ｂのうちの右側のロックアーム４６Ｂが左側のロックアーム４６Ａと比べ内側に設けられている。左右のばね片５２の形成位置の違いは、左右のロックアーム４６Ａ，４６Ｂの配置位置の違いに対応したものである。
【００２６】
図４は、カードコネクタ本体にカードトレイが挿し込まれていく様子を示した図である。ここでは、金属シェル５０については、ばね片５２のみが示されている。また、ここには、ナノＳＩＭカード６１とマイクロＳＤカード６２が１枚ずつ載置された状態のカードトレイ３０が示されている。
【００２７】
また、図５は、図４に示した円ＲＬ，ＲＲの部分の拡大図である。ここで、図５（Ａ−Ｌ），（Ａ−Ｒ）は、それぞれ図４（Ａ）の円ＲＬ，ＲＲの部分の拡大図である。また、図５（Ｂ−Ｌ），（Ｂ−Ｒ）は、それぞれ図４（Ｂ）の円ＲＬ，ＲＲの部分の拡大図である。さらに、図５（Ｃ−Ｌ），（Ｃ−Ｒ）は、それぞれ図４（Ｃ）の円ＲＬ，ＲＲの部分の拡大図である。
【００２８】
図４（Ａ）には、カードトレイ３０が、カードコネクタ本体２０に、カードトレイ３０の先端がロックアーム４６の自由端側の係合部４６ａに軽く接触するまで挿し込まれた状態が示されている。
【００２９】
カードトレイ３０が、カードコネクタ本体２０に、図４（Ａ）（図５（Ａ−Ｌ），（Ａ−Ｒ））に示した位置まで挿し込まれる。この時点では、ロックアーム４６は、金属シェル３０のばね片５２からは離間している。
【００３０】
図４（Ｂ）には、カードトレイ３０が、図４（Ａ）に示した状態よりも挿込みの向き（矢印Ｘの向き）に進み、係合部４６ａがカードトレイ３０に押されてロックアーム４６が弾性変形している状態が示されている。
【００３１】
カードトレイ３０が、カードコネクタ本体２０に、図４（Ｂ）（図５（Ｂ−Ｌ），（Ｂ−Ｒ））に示した位置まで挿し込まれる。すると、ロックアーム４６の係合部４６ａがカードトレイ３０に押されてロックアーム４６が弾性変形する。また、そのロックアーム４６の弾性変形により、その係合部４６ａがばね片５２を押してそのばね片５２を弾性変形させる。
【００３２】
図４（Ｃ）には、カードトレイ３０の係止凹部３１にロックアーム４６の係合部４６ａが入り込んだ状態、すなわち、カードトレイ３０の挿込みの最終の状態が示されている。
【００３３】
カードトレイ３０の係止凹部３１が、ロックアーム４６の係合部４６ａに対面した最終位置まで挿し込まれる。すると、図４（Ｃ）（図５（Ｃ−Ｌ），（Ｃ−Ｒ））に示すように、ロックアーム４６が弾性変形から解放されて、係合部４６ａがカードトレイ３０の係止凹部３１に入り込む。このとき、係合部４６ａには、ロックアーム３０自体の弾性変形による付勢力に、ばね片５２の弾性変形による付勢力が加わる。このばね片５２による付勢力のアシストにより、係合部４６ａが、係止凹部３１に、十分なクリック感を持って入り込んでロック状態となる。
【００３４】
ここで、図４（Ｃ）（図５（Ｃ−Ｌ），（Ｃ−Ｒ））に示すロック状態にあるカードトレイ３０が矢印Ｙの向きに少し移動して、そのロックが不用意に外れかかった状態を考える。そうすると、ロックアーム４６の係合部４６ａがカードトレイ３０の係止凹部３１から外れかかり、ロックアーム４６が弾性変形するとともにばね片５２も弾性変形することになる。このため、十分に強い力でロック状態が維持されて、カードトレイ３０の不用意な抜けが防止される。
【００３５】
カードトレイ３０をカードコネクタ本体２０から抜き取るときは、前述の通り、不図示のイジェクトピンでスライドアーム４３を矢印Ｘの向きに押し込む。するとイジェクトレバー４４が反時計回りに回動してカードトレイ３０が矢印Ｙの向きに押し出される。この時のロックアーム４６等の動作は、カードトレイ３０を挿し込むときとは逆の経過を辿ることになる。このときも、ばね片５２のアシストにより、操作者に十分なクリック感を与えることになる。
【００３６】
以上で第１実施形態の説明を終了し、次に、本発明の第２実施形態のカードコネクタについて説明する。以下に説明する第２実施形態のカードコネクタの、これまで説明してきた第１実施形態のカードコネクタとの相違点は、金属シェルのみである。そこで、この第２実施形態については、相違点に関連した部分のみ図示および説明を行なう。また、符号も、金属シェル以外は、第１実施形態において用いた符号と同じ符号を用いて説明する。
【００３７】
図６は、第２実施形態のカードコネクタを構成している金属シェルの（Ａ）斜視図と（Ｂ）３面図である。ここで、図６（Ｂ）の３面図のうちの（ｂ−１），（ｂ−２），（ｂ−３）は、それぞれ、左側面図、平面図、および右側面図である。
【００３８】
この金属シェル７０は、図１（Ｃ）に示した基体４０の上に被せられて、その上面、左右の両側面、および、挿込みの向き（矢印Ｘの向き）の奥側の側面を覆っている。
【００３９】
ここで、挿込みの向き（矢印Ｘの向き）の奥側であって、左右両側にばね片７２が形成されている。このばね片７２は、金属シェル７０の平板状の基部７１から延びる垂下部７３に形成され、挿込みの向き（矢印Ｘの向き）に片持ち梁形状に延びている。このばね片７２は、金属シェル３０の一部が基体４０に向かって折り曲げられることにより形成されたものである。左右の側面７０ａ，７０ｂからの、左右のばね片７２が形成された位置までの距離は左右で異なっている。これは、図１（Ｃ）を参照して説明したように、基体４０の右側にはスライドアーム４３が設けられているからである。このため、左右のロックアーム４６Ａ，４６Ｂのうちの右側のロックアーム４６Ｂが左側のロックアーム４６Ａと比べ内側に設けられている。左右のばね片７２の形成位置の違いは、左右のロックアーム４６Ａ，４６Ｂの配置位置の違いに対応したものである。
【００４０】
カードトレイ３０のカードコネクタ本体２０への挿込み時の振る舞いは、前述の第１実施形態の場合と同様であるが、ここでは、ロックアーム４６と第２実施形態におけるばね片７２との相互作用について説明しておく。
【００４１】
図７は、第２実施形態における、カードコネクタ本体にカードトレイが挿し込まれていく様子を示した図である。ここでは、金属シェル７０については、ばね片７２のみが示されている。また、ここには、ナノＳＩＭカード６１とマイクロＳＤカード６２が１枚ずつ載置された状態のカードトレイ３０が示されている。
【００４２】
また、図８は、図７に示した円ＲＬ，ＲＲの部分の拡大図である。ここで、図８（Ａ−Ｌ），（Ａ−Ｒ）は、それぞれ図７（Ａ）の円ＲＬ，ＲＲの部分の拡大図である。また、図８（Ｂ−Ｌ），（Ｂ−Ｒ）は、それぞれ図７（Ｂ）の円ＲＬ，ＲＲの部分の拡大図である。さらに、図８（Ｃ−Ｌ），（Ｃ−Ｒ）は、それぞれ図７（Ｃ）の円ＲＬ，ＲＲの部分の拡大図である。
【００４３】
図７（Ａ）には、カードトレイ３０が、カードコネクタ本体２０に、カードトレイ３０の先端がロックアーム４６の自由端側の係合部４６ａに軽く接触するまで挿し込まれた状態が示されている。
【００４４】
カードトレイ３０が、カードコネクタ本体２０に、図７（Ａ）（図８（Ａ−Ｌ），（Ａ−Ｒ））に示した位置まで挿し込まれる。この時点では、ロックアーム４６は、金属シェル３０のばね片７２からは離間している。
【００４５】
図７（Ｂ）には、カードトレイ３０が、図７（Ａ）に示した状態よりも挿込みの向き（矢印Ｘの向き）に進み、係合部４６ａがカードトレイ３０に押されてロックアーム４６が弾性変形している状態が示されている。
【００４６】
カードトレイ３０が、カードコネクタ本体２０に、図７（Ｂ）（図８（Ｂ−Ｌ），（Ｂ−Ｒ））に示した位置まで挿し込まれる。すると、ロックアーム４６の係合部４６ａがカードトレイ３０に押されてロックアーム４６が弾性変形する。また、そのロックアーム４６の弾性変形により、その係合部４６ａがばね片７２を押して、そのばね片７２を弾性変形させる。
【００４７】
図７（Ｃ）には、カードトレイ３０の係止凹部３１にロックアーム４６の係合部４６ａが入り込んだ状態、すなわち、カードトレイ３０の挿込みの最終の状態が示されている。
【００４８】
カードトレイ３０の係止凹部３１が、ロックアーム４６の係合部４６ａに対面した最終位置まで挿し込まれる。すると、図７（Ｃ）（図８（Ｃ−Ｌ），（Ｃ−Ｒ））に示すように、ロックアーム４６が弾性変形から解放されて、係合部４６ａがカードトレイ３０の係止凹部３１に入り込む。このとき、係合部４６ａには、ロックアーム３０自体の弾性変形による付勢力に、ばね片７２の弾性変形による付勢力が加わる。このばね片７２による付勢力のアシストにより、係合部４６ａが、係止凹部３１に、十分なクリック感を持って入り込んでロック状態となる。
【００４９】
ここで、図７（Ｃ）（図８（Ｃ−Ｌ），（Ｃ−Ｒ））に示すロック状態にあるカードトレイ３０が矢印Ｙの向きに少し移動して、そのロックが不用意に外れかかった状態を考える。そうすると、ロックアーム４６の係合部４６ａがカードトレイ３０の係止凹部３１から外れかかり、ロックアーム４６が弾性変形するとともにばね片７２も弾性変形することになる。このため、十分に強い力でロック状態が維持されて、カードトレイ３０の不用意な抜けが防止される。
【００５０】
カードトレイ３０をカードコネクタ本体２０から抜き取るときは、前述の通り、不図示のイジェクトピンでスライドアーム４３を矢印Ｘの向きに押し込む。するとイジェクトレバー４４が反時計回りに回動してカードトレイ３０が矢印Ｙの向きに押し出される。この時のロックアーム４６等の動作は、カードトレイ３０を挿し込むときとは逆の経過を辿ることになる。このときも、ばね片７２のアシストにより、操作者に十分なクリック感を与えることになる。
【００５１】
なお、上記第１および第２実施形態におけるばね片５２，７２は、ロックアーム４６の係合部４６ａがカードトレイ３０の係止凹部３１に入り込んでいるときは、係合部４６ａから離間している。ただし、例えば係合部４６ａをばね片５２，７２側に膨出させて、係合部４６ａが係止凹部３１に入り込んでいるときも係合部４６ａがばね片５２，７２を弾性変形させる構造としてもよい。この場合、ロック力が更に強められる。
【００５２】
また、ここでは、ばね片として第１実施形態のばね片５２と第２実施形態のばね片７２の２例を示した。ただし、本発明における、金属シェルに設けられるばね片の形状は、これら２例のばね片５２，７２に限られるものではない。このばね片は、金属シェルに設けられてロックアームをアシストするばね片であればよい。
【００５３】
また、ここでは、カードコネクタ本体にカードを載置したカードトレイを挿し込むタイプのカードコネクタについて説明した。ただし、本発明のカードコネクタは、カードトレイを用いずにカードのみを挿し込むタイプのカードコネクタにも適用することができる。
【符号の説明】
【００５４】
１０    カードコネクタ
２０    カードコネクタ本体
２１    受容空間
２２    挿込み口
３０    カードトレイ
３１    係止凹部
３２，３３  カード載置部
４０    基体
４１    ハウジング
４２    コンタクト
４３    スライドアーム
４３ａ  スライドアームの頭部
４４    イジェクトレバー
４５    スイッチ
４６    ロックアーム
４６ａ  係合部
５０，７０  金属シェル
５１，７１  金属シェルの基部
５２，７２  ばね片
６１，６２  カード
【図１】
2019179615.tif 000003
【図２】
2019179615.tif 000004
【図３】
2019179615.tif 000005
【図４】
2019179615.tif 000006
【図５】
2019179615.tif 000007
【図６】
2019179615.tif 000008
【図７】
2019179615.tif 000009
【図８】
2019179615.tif 000010